(57)【要約】【課題】着脱が容易で、具全体が表に現われず、具全体の装身状態を安定よく確実に保てるズボンのずり落ち防止具を構成する。【解決手段】略下向きコ字状の軸曲げ形状を呈する基体枠１と、両端の輪曲げ部２ａ，２ｂを基体枠１の縦軸１ａ，１ｂに嵌め合わせてスライド可能に掛け渡す挟み桟２と、基体枠２の横軸略中央より前方に突き出てズボンの内側でベルトの下辺縁相当部位にあてがう突起３と、基体枠１の縦軸端より延長上の半円弧状に亘ってズボンの内側で上着衣の前身頃との間に介在する定置枠４とを備え、突起３の基端下部側を斜めに切り欠いて上着衣の前身頃を挟み桟２とで部分的に挟み込む傾斜面３ｃを設けた。【選択図】図１
2009052178.tif 000002
【特許請求の範囲】
【請求項１】
上着衣の前身頃をズボンの内側で部分的に挟んで、具全体をベルトの下辺縁相当部位より上着衣の前身頃との間に介装するズボンのずり落ち防止具であって、左右の縦軸，縦軸の上端間に亘る横軸から略下向きコ字状の軸曲げ形状を呈する基体枠と、両端の輪曲げ部を基体枠の各縦軸に嵌め合わせて該縦軸の軸間にスライド可能に掛け渡す挟み桟と、基体枠の横軸略中央より前方に突き出てズボンの内側でベルトの下辺縁相当部位にあてがう突起と、基体枠の縦軸端より延長上の半円弧状に亘ってズボンの内側で上着衣の前身頃との間に介在する定置枠とを備え、突起の基端下部側を斜めに切り欠いて上着衣の前身頃を挟み桟とで部分的に挟み込む傾斜面を設けてなることを特徴とするズボンのずり落ち防止具。
【請求項２】
中央の挟み辺部が基体枠の縦軸背側で直線状に渡る挟み桟を設けてなることを特徴とする請求項１に記載のズボンのずり落ち防止具。
【請求項３】
ベルトの下辺縁相当部位を支点に、具全体をズレ回転可能な円柱状の突起を設けてなることを特徴とする請求項１に記載のズボンのずり落ち防止具。
【請求項４】
撓み変形可能な定置枠を設けてなることを特徴とする請求項１に記載のズボンのずり落ち防止具。
【請求項５】
基体枠の縦軸方向に亘るローレット溝を周側面に有する定置枠を設けてなることを特徴とする請求項１または５に記載のズボンのずり落ち防止具。
【発明の詳細な説明】
【技術分野】
【０００１】
本発明は、上着衣の前身頃をズボンの内側で部分的に挟んで、具全体をベルトの下辺縁相当部位より上着衣の前身頃との間に介装するズボンのずり落ち防止具に関するものである。
【背景技術】
【０００２】
ズボンの胴回り縁を鰐口クリップでくわえ込んでズボンを肩掛けバンドで両肩に吊下げ支持するサスペンダーに代え、肩凝りの誘発を防げるよう肩に掛ける部材を備えず、二個を腹部両脇に分けて装身することから、上着衣のめくれ出しと共に、ズボンのずり落ちを防止可能な器具は既に提案されている。
【０００３】
その一例を挙げれば、横長な冠金具と、冠金具の両端寄りから相平行の直角方向に伸びる左右の支柱軸と、支柱軸の軸間にスライド可能に掛け渡す挟み桟と、支柱軸の各軸端をＵ字状に折り曲げたフックとからなり、上着衣の前身頃をズボンの腰回り付近で冠金具と挟み桟とで部分的に挟込み保持すると共に、フックをベルトの背側から下辺縁に掛け止めてズボンを吊止め可能に構成したものが提案されている（特許文献１）。
【０００４】
そのズボンのずり落ち防止具では、上着衣の前身頃を冠金具と挟み桟とで単に挟み込むだけであると、当該部位がベルトの下縁辺に掛け止めるフックよりも高位で上着側の外部に露出するため、冠金具と挟み桟を前身頃の内側に巻き込むよう上着衣の前身頃を冠金具と挟み桟とで挟み込む必要がある。
【０００５】
それに加えて、装身者が体を回転する等により、具全体が上着衣で斜めに引き摺られると、片側のフックがベルトの下辺縁より下方に外れ、装身者が体を元に戻したときにはベルトの下辺縁より外れたままでベルトより外に潜り出てしてしまう傾向がある。
【特許文献１】特開２００５−３０７３６１号公報
【発明の開示】
【発明が解決しようとする課題】
【０００６】
本発明は、肩に掛ける部材を備えずに肩凝りの誘発を防げることは勿論、着脱が容易で、具全体が表に現われず、具全体の装身状態を安定よく確実に保てるズボンのずり落ち防止具を提供することを目的とする。
【課題を解決するための手段】
【０００７】
本願の請求項１に係る発明は、左右の縦軸，縦軸の上端間に亘る横軸から略下向きコ字状の軸曲げ形状を呈する基体枠と、両端の輪曲げ部を基体枠の各縦軸に嵌め合わせて該縦軸の軸間でスライド可能に掛け渡す挟み桟と、基体枠の横軸略中央より前方に突き出てズボンの内側でベルトの下辺縁相当部位にあてがう突起と、基体枠の縦軸端より延長上の半円弧状に亘ってズボンの内側で上着衣の前身頃との間に介在する定置枠とを備え、突起の基端下部側を斜めに切り欠いて上着衣の前身頃を挟み桟とで部分的に挟み込む傾斜面を設けてなることを特徴とする。
【０００８】
本願の請求項２に係る発明は、中央の挟み辺部が輪曲げ部より基体枠の縦軸背側で直線状に渡る挟み桟を設けてなることを特徴とする。
【０００９】
本願の請求項３に係る発明は、ベルトの下辺縁相当部位を支点に、具全体をズレ回転可能な円柱状の突起を設けてなることを特徴とする。
【００１０】
本願の請求項４に係る発明は、撓み変形可能な定置枠を設けてなることを特徴とする。
【００１１】
本願の請求項５に係る発明は、基体枠の縦軸方向に亘るローレット溝を周側面に有する定置枠を設けてなることを特徴とする。
【発明の効果】
【００１２】
本願の請求項１に係るズボンのずり落ち防止具によると、ズボンの内側でベルトの下辺縁相当部位にあてがう突起を基体枠の横軸略中央より前方に突き出るよう設け、上着衣の前身頃を挟み桟の挟み辺部と突起の傾斜面とで部分的に挟み込み、具全体をベルトの下辺縁相当部位より上着衣の前身頃との間に介装するものであるため、上着衣の前身頃を挟み桟の挟み辺部と突起の傾斜面とで部分的に挟み込むだけで、具全体をズボンの内側に収容できて体裁を良好に保てる。また、基体枠の縦軸より延長上の半円弧状に亘る定置枠を設けることから、具全体の装身状態をズボンの内側で安定よく確実に保てる。
【００１３】
本願の請求項２に係るズボンのずり落ち防止具によると、中央の挟み辺部が輪曲げ部より基体枠の縦軸背側で直線状に渡る挟み桟を設けるため、上着衣の前身頃を中央の挟み辺部と突起の傾斜面とで部分的に挟み込むだけでも緩みなく確実に挟み込め、また、着脱も容易に行える。
【００１４】
本願の請求項３に係るズボンのずり落ち防止具によると、ベルトの下辺縁相当部位を支点に、具全体をズレ回転可能な円柱状の突起を設けることから、装身者が体を回転する等により、具全体が上着衣で斜めに引き摺られても、具全体が突起でズレ回転するため、具全体が斜め引き摺りに追従できて外れ出しを確実に防げる。
【００１５】
本願の請求項４に係るズボンのずり落ち防止具によると、撓み変形可能な定置枠を設けることから、装身者が前屈みに動いても、定置枠が基体枠より折曲り変形できて装身上の違和感を抑えられる。
【００１６】
本願の請求項５に係るズボンのずり落ち防止具によると、基体枠の縦軸方向に亘るローレット溝を周側面に有する定置枠を設けることから、具全体の装身状態をズボンの内側でより安定よく確実に保てる。
【発明を実施するための最良の形態】
【００１７】
図示の形態は、図１で示すように基体枠１をベースに、挟み桟２，突起３，定置枠４を備えて構成されている。この各部により、上着衣の前身頃を挟み桟２と突起３とで挟み込み、突起３をズボンの内側でベルトの下辺縁相当部位にあてがい、具全体をベルトの下辺縁相当部位より上着衣の前身頃との間に介装し、二個を腹部両脇に分けて装身することから、ズボンのずり落ちと上着衣のめくれ出しも防げる器具として用いられる。
【００１８】
基体枠１は、金属製の軸部材から形成されている。この基体枠１は、左右の縦軸１ａ，１ｂと縦軸１ａ，１ｂの上端間に橋絡する横軸１ｃから略下向きコ字状の軸曲げ形状を呈するよう折り曲げて形成されている。
【００１９】
挟み桟２は、金属製の短冊板から形成されている。この挟み桟２は、両端の輪曲げ部２ａ，２ｂを基体枠１の縦軸１ａ，１ｂに嵌め合わせることから、縦軸１ａ，１ｂの軸間でスライド可能に掛渡し装着されている。また、図２で示すように中央の挟み辺部２ｃが縦軸１ａ，１ｂの背側で直線状に渡るよう配置することから、上着衣の前身頃を部分的に摘んで基体枠１の横軸間に容易に差込み誘導可能に取り付けられている。
【００２０】
突起３は、樹脂製の円柱片で形成されている。この突起３は、基体枠１の横軸略中央より前方に突き出てよう横軸１ｃの軸線上に装着されている。基体枠１の横軸１ｃは突起３の基端側上半分３ａに直交方向より挿通することから、突起３には傾斜面３ｃが基端側下半分３ｂを斜めに切り欠いて設けられている。
【００２１】
突起３は、上着衣の前身頃を傾斜面３ｃと挟み桟２の挟み辺部２ｃとで部分的に挟み込み、また、ズボンの内側でベルトの下辺縁相当部位にあてがって具全体の外出しを防ぐものとして備えられている。また、円柱片で設けることから、装身者の体を回転する等に伴って、具全体がベルトの下辺縁相当部位でズレ回転するのを許容するものとして備えられている。
【００２２】
定置枠４は、基体枠１の縦軸１ａ，１ｂより連続方向下方に伸びてズボンの内側で腰骨付近に据え付けるものとして備え付けられている。この定置枠４は、撓み変形可能なゴム質管を基体枠１の縦軸端に嵌め合わせて略半円状に掛け渡すことにより取り付けられている。また、基体枠１の縦軸方向に亘るローレット溝を周側面に有するものが取り付けられている。
【００２３】
このように構成するズボンのずり落ち防止具を装身するには、まず、図３で示すように挟み桟２を突起３より下方にスライドさせて両者の間隔を保つ。次に、上着衣Ｓの前身頃Ｅを部分的に摘んで基体枠１の横軸１ｃと挟み桟２の挟み辺部２ｃとの間隔内に入れ込む。その入込み際には、挟み桟２の挟み辺部２ｃが基体枠１の縦軸背側より直線状に渡っているため、上着衣Ｓの前身頃Ｅを部分的に摘んで挟み桟２の挟み辺部２ｃに沿わせて容易に入れ込むことができる。
【００２４】
上着衣Ｓの前身頃Ｅを基体枠１の横軸１ｃと挟み桟２の挟み辺部２ｃとの間に入れたならば、図４で示すように挟み桟２を突起３に向けてスライドさせ、前身頃Ｅを挟み桟２の挟み辺部２ｃと突起３の傾斜面３ｃとで挟み込む。
【００２５】
その前身頃Ｅの挟込み状態は、挟み桟２が基体枠１の縦軸背側より直線状に渡り、突起３の傾斜面３ｃが基端側下半分３ｂを斜めに切り欠いて設けられているため、上着衣Ｓの前身頃Ｅを挟み桟２と突起３とから単に挟み込むだけでも緩みなく確実に挟み込め、着脱も容易に行える。
【００２６】
上述した手順により装身したならば、図５で示すように具全体をズボンＰの内側に入れ込んで突起３をベルトの下辺縁相当部位にあてがえばよい。これにより、突起３が支点となって挟み桟２と突起３による上着衣の挟込み部位を含む具全体をズボンＰの内側に収容できるから体裁を良好に保てる。それと共に、基体枠１の縦軸１ａ，１ｂより連続方向下方に伸びて縦軸間に亘る定置枠４を設けることから、具全体の装身状態をズボンＰの内側で安定よく確実に保てる。
【００２７】
その装身状態では、図６で示すように装身者が体を回転し、具全体が上着衣Ｓで斜めに引き摺られても、具全体がベルトＢの下辺縁相当部位を支点に突起３でズレ回転するため、具全体が斜め引き摺りに追従できて具全体の外れ出しを確実に防げる。
【００２８】
定置枠４としては、撓み変形可能なものを基体枠１の縦軸端間に備え付けることから、装身者が前屈みに動いても基体枠１より折曲り変形するため、腰骨辺りに与える装身上の違和感を抑えられる。また、基体枠１の縦軸方向に亘るローレット溝を周側面に設けたものを備え付けることから、具全体の装身状態をズボンの内側でより安定よく確実に保てる。
【図面の簡単な説明】
【００２９】
【図１】本発明に係るズボンのずり落ち防止具を示す斜視図である。
【図２】図１の防止具を示す側断面図である。
【図３】図１の防止具を上着衣に組み付ける初期状態の手順を示す説明図である。
【図４】図３に引き続いて上着衣の裾付近を挟み込んだ状態を示す説明図である。
【図５】図１の防止具を装身状態で示す説明図である。
【図６】図１の防止具を装身者の体回転状態で示す説明図である。
【符号の説明】
【００３０】
１          基体枠
１ａ，１ｂ  基体枠の縦軸
１ｃ        基体枠の横軸
２          挟み桟
２ａ，２ｂ  挟み桟の輪曲げ部
２ｃ        挟み桟の挟み辺部
３          突起
３ｃ        突起の傾斜面
４          定置枠
Ｓ          上着衣
Ｅ          上着衣の前身頃
Ｐ          ズボン
【図１】
2009052178.tif 000003
【図２】
2009052178.tif 000004
【図３】
2009052178.tif 000005
【図４】
2009052178.tif 000006
【図５】
2009052178.tif 000007
【図６】
2009052178.tif 000008